(57)【要約】【課題】  刈取収穫機に搭乗した操縦者が着座したまま容易に注油を行なうことができるようにする。【解決手段】  運転部１３を備えた走行機体１４の前方に刈取り装置３や搬送装置６を備えた刈取搬送部９を配備するとともに、前記刈取り装置３や搬送装置６に潤滑油を供給するための注油タンク２７及び注油ポンプを刈取搬送部９に備える。注油ポンプを駆動するための操作部２４を、操縦者が着座したまま手のとどく運転座席１２近くの横側部に位置する刈取搬送部９の固定部に配設した。【選択図】        図２
2008005710.tif 000002
【特許請求の範囲】
【請求項１】
運転部を備えた走行機体の前方に刈取り装置や搬送装置を備えた刈取搬送部を配備するとともに、前記刈取り装置や搬送装置に潤滑油を供給するための注油タンク及び注油ポンプを前記刈取搬送部に備え、前記注油ポンプを駆動させるための操作部を、運転部の運転座席近くの横側部に位置する刈取搬送部の固定部に配設したことを特徴とする刈取収穫機における注油装置。
【発明の詳細な説明】
【技術分野】
【０００１】
本発明は、コンバイン等の刈取収穫機における刈取装置や穀稈引起しチェーンや刈り取り穀稈集合用の搬送チェーン、刈り取り穀稈を脱穀部に搬送供給する供給チェーンなどの搬送装置を対象とする注油装置に関する。
【背景技術】
【０００２】
例えば、従来のコンバインにおける穀稈引起しチェーンに対する注油装置としては、注油タンク、注油ポンプ及び注油ポンプを手動操作する操作具を引き起し装置の上部背面に備えたものが知られている。
【０００３】
【特許文献１】特開平１０−１０３５８８号公報（段落番号００１７〜００１９、図２）
【発明の開示】
【発明が解決しようとする課題】
【０００４】
しかし、上記従来の技術によるときは、注油ポンプを操作するための操作具が運転部の前方の引き起し装置の上部裏面に配設されていたので、注油するときは、操縦者は地上から操作具を操作していたので、注油するときには、刈取作業を一旦中止して下車して注油しなければならず、注油作業に煩わしさがあり、時間を要していた。
【０００５】
本発明の目的は、作業中に刈取作業を中止しなくても搭乗した操縦者が着座したまま容易に注油を行なうことのできる刈取収穫機における注油装置を提供することにある。
【課題を解決するための手段】
【０００６】
〔第1発明の構成〕
本発明（請求項１）は、運転部を備えた走行機体の前方に刈取り装置や搬送装置を備えた刈取搬送部を配備するとともに、刈取り装置や搬送装置に潤滑油を供給するための注油タンク及び注油ポンプを刈取搬送部に備え、注油ポンプを駆動させるための操作部を、運転部の運転座席近くの横側部に位置する刈取搬送部の固定部に配設した点にある。
【０００７】
〔作用〕
本発明の特徴によると、注油装置の操作部を、刈取搬送部のうち運転部の運転座席近くの横側部に位置する固定部に配設したので、刈取作業中であっても操縦者が運転座席に着座したまま注油装置の操作部を操作することができる。
【０００８】
〔発明の効果〕
本発明では、操縦者が座席に着座したまま容易に注油操作をすることができるので、注油作業を簡単に行える利点がある。
【発明を実施するための最良の形態】
【０００９】
以下、本発明の実施の形態を図面に基づいて説明する。
図１に示すように、機体の走行に伴って機体最前部に配設した複数の分草具１によって植立穀稈を分草し、植立穀稈を機体横方向に並ぶ複数個の引き起こし装置２によって引き起こし処理するとともにバリカン型の刈り刃３ａを備えた刈取り装置３によって刈取り、刈取り穀稈を株元側に作用する挟持搬送装置４と穂先側に作用する係止搬送装置５とを備えた搬送装置６によって、脱穀装置７の脱穀フィードチェーン８の始端部に供給するように構成した刈取搬送部９を備え、刈取搬送部９のメインフレーム１０の基端側を、クローラ式走行装置１１、運転座席１２を備えている運転部１３、脱穀装置７等を備えている走行機体１４の運転部１３の横側で脱穀装置７の前側に位置する支持部１５に、機体横向きの軸芯Ｐ１まわりで回動自在に連結するとともに、メインフレーム１０にリフトシリンダ１６を連結してコンバインを構成してある。すなわち、刈取搬送部９によって稲・麦などの植立穀稈を刈取り処理するとともに刈取り穀稈を脱穀装置７に供給し、刈取り穀稈を脱穀装置７の脱穀部で回動する扱胴によって脱穀処理するようにしてある。また、リフトシリンダ１６によって刈取搬送部９を走行機体１４に対して軸芯Ｐ１まわりで揺動させて昇降操作するようにしてある。
【００１０】
図１、図２などに示すように、引き起こし装置２や搬送装置６の前側部分の上方や横側方を覆うように形成して引き起こし装置２などに固定された穀稈排除兼用の防塵板１７を刈取搬送部９に設けている。搬送装置６が刈取り穀稈を脱穀装置７に供給すべく搬送する穀稈搬送経路の上方の防塵板１７と脱穀装置７との間を、防塵カバー１８によって覆うように構成している。刈取搬送部９によって分草、引き起こし、刈取り及び搬送処理される穀稈から発生する塵埃が舞い上がることを、防塵板１７と防塵カバー１８とによって回避しながら、未刈り地に植立する穀稈が刈取搬送部９に倒れ込むことを防塵板１７によって防止しながら作業できるようにしてある。
【００１１】
図１、図２、図３などに示す如く防塵板１７は、その上部側が支持アーム１９によって支持されていて、その途中に後述する注油装置２３のコントローラ２１を固定する固定部を構成する固定板２２を支持するための支持杆２０を取付けてある。
【００１２】
次に、コンバインの刈取搬送部９に対する注油装置２３について説明する。
前記注油装置２３により注油する注油対象物は、図５に示すように、前記引き起こし装置２の引起しチェーン２Ａや挾持搬送装置４の挟持搬送チェーン４ａ及び脱穀フィードチェーン８等のチェーン並びに刈取り装置３の刈り刃３ａである。
【００１３】
注油制御するためのコントローラ２１を備えた制御部２４は、運転部１３の左側で、且つ運転座席１２の近くの刈取搬送部９の固定部である前記固定板２０に取付けてある。制御部２４には、オン操作によって所定時間連続的に又は間欠的に注油するポンプスイッチ２５（操作部に相当）と、刈取り装置３の刈り刃３ａに注油する刈り刃注油モード、並びに、挟持搬送チェーン４ａや脱穀フィードチェーン８等のチェーンに注油するチェーン注油モードに切換えるためのモード切換スイッチ２６（操作部に相当）を備えている。注油装置２３の注油タンク２７と注油ポンプ２８は、運転部１３の前側であって、右端の分草杆１の後方で、右端の引き起こし装置２の右側部における下部付近に設けた矩形の取付けブラケット２９に固設してある。
上記ポンプスイッチ２５の押し操作により注油タンク２７内の潤滑油を吸い込み、潤滑油を吐出する注油ポンプ２８から供給路の一例である給油管３０を介して送られてくる潤滑油を引起しチェーン２Ａ及び挟持搬送チェーン４ａのそれぞれに各別に吐出供給する注油ノズル３１と、脱穀フィードチェーン８に吐出供給する注油ノズル３１ａを設けてある。
【００１４】
注油装置２３では、図５に示すように、前記刈り刃３ａに潤滑油を噴射供給する一対の刈り刃用注油ノズル３２への刈り刃用給油管３３が、前記給油管３０に切り換え弁３４を介して接続されて、刈り刃３ａにも注油できるように構成されている。詳述すると、前記モード切換スイッチ２６の切り換え操作によって切り換え弁３４を刈り刃用注油ノズル３２側に切り換えることにより、注油タンク２７から注油ポンプ２８への潤滑油の吸い込み及び注油ポンプ２８から刈り刃用注油ノズル３２への潤滑油の圧送を行って、刈り刃３ａに注油するように構成されている。
【００１５】
〔別実施形態〕
上記実施の形態では、コンバインにおける引起しチェーン２Ａ及び挟持搬送チェーン４ａを注油対象のチェーンとして実施したが、本発明の注油装置２３は、搬送用のチェーンや伝動用のチェーンなど作業機の各種チェーンを注油対象のチェーンとして実施することができる。
【００１６】
上記実施の形態では、キャビンを備えていないが、運転部１３を覆うキャビン付きのコンバインにも適用できる。この場合は、運転座席１２の左側のキャビンの窓を開けた状態で、そこから手を出してポンプスイッチ２５等を操作する。
【００１７】
上記実施の形態では、ポンプスイッチ２５等を備えた制御部２４を、防塵板１７を支持する支持アーム１９に取り付けた例を示したが、運転座席１２に着座したまま操縦者の手のとどく位置であればどこに取付けてもよい。
【図面の簡単な説明】
【００１８】
【図１】コンバインの要部側面図
【図２】コンバインの要部平面図
【図３】運転座席と注油装置の操作部との位置関係を示す要部正面図
【図４】注油装置の操作部を示す平面図
【図５】注油装置の配管構成図
【符号の説明】
【００１９】
３          刈取り装置
６          搬送装置
９          刈取搬送部
１２        運転座席
１３        運転部
１４        走行機体
２５，２６  操作部
２７        注油タンク
２８        注油ポンプ
【図１】
2008005710.tif 000003
【図２】
2008005710.tif 000004
【図３】
2008005710.tif 000005
【図４】
2008005710.tif 000006
【図５】
2008005710.tif 000007